(57)【要約】      （修正有）【課題】目的物の点検等の作業が容易かつ良好に行なえる点検ミラーを提供する。【解決手段】柄部１と、柄部の先端に取付けた鏡部２と、鏡部に固定して設け、鏡部の鏡面２０の前方側へ光を照射させる照明器具３とを備える。照明器具は投光部側を開放して形成した開口部を有するケース部３０と、ケース部内に所望の間隔で複数個設けた白色ＬＥＤ３３及び反射鏡３４と、開口部を閉塞して設けた透明プラスチック製板材で形成した蓋部３５及び蓋部の内側面に張り付けて設けた曇りガラスフィルムシート４とを備える。各ＬＥＤから放射させる光を前記フィルムシート及び蓋部を透過させて照射させるように構成する。各ＬＥＤの光は前記フィルムシートで拡散されて照射される。【選択図】図１
0003174001.tif 000002
【実用新案登録請求の範囲】
【請求項１】
柄部と、この柄部の先端に取付けた鏡部と、この鏡部に固定して設け、前記鏡部の鏡面の前方側へ光を照射させる照明器具とを備えた点検ミラーであって、
前記照明器具は、電池収容部を有し、略長方形の箱形状に形成されていると共に投光部側の端部を開放して形成した開口部を有するケース部と、
前記ケース部内に長手方向に所望の間隔で複数個設けた発光ダイオード及び反射鏡と、
前記開口部を閉塞して設け、前記各発光ダイオードから放射される光を透過して照射させる蓋部とを備え、
前記各発光ダイオードは白色光発光ダイオードその他の輝度が高い発光ダイオードで構成され、
前記蓋部は透明プラスチック製板材で形成されていると共に前記蓋部の内側面における少なくとも前記各発光ダイオードの前記各光が透過する部位には、曇りガラスフィルムシート、又は透光性を有する半透明ないし不透明の無色ないし白色系のプラスチックフィルムシートが張り付けて設けてある
ことを特徴とする点検ミラー。
【請求項２】
前記鏡部は前記柄部の先端に、前記鏡面側の前記柄部に対する角度を調整可能に取付けてある請求項１に記載の点検ミラー。
【請求項３】
前記柄部は伸縮可能に構成されている請求項１又は２に記載の点検ミラー。
【考案の詳細な説明】
【技術分野】
【０００１】
本考案は点検ミラーに関する。さらに詳しくは、主に警察官や警備員等が、例えば車両底部やマンホール等を点検・検査する際等に使用する点検ミラーに関する。本考案の点検ミラーは、特に例えば危険物や麻薬その他の違法所持物等の点検・検査用として使用される。なお、点検ミラーは、見分ミラーとも称されている。
【背景技術】
【０００２】
従来、点検ミラーとして、伸縮可能な柄部の先端に鏡部を取付けて構成したものが一般に知られている（例えば、特許文献１参照）。この従来の点検ミラー（以下、「従来ミラー」という）は、柄部を手で操作して鏡部を例えば車体の下部やマンホール内等に挿入し、車両底部やマンホール内その他の目的の部位や箇所等を鏡部の鏡面により目視して点検や検査するように構成したものである。
【０００３】
しかし、例えば車両の底部は昼間でも見え難いと共に夜間においては暗いのでほとんど見えない。また、マンホール内についても、一般的には太陽光などが入射しないため暗いので、見ることは困難である。そのため、従来ミラーは携帯電灯その他の照明器具を併用して点検等の作業を行なっている。したがって、点検等の作業に手間が掛る問題を有している。
【０００４】
そこで、本考案者は照明器具を有する点検ミラー（但し、未公開）を開発した。この点検ミラー６０（以下、「先行ミラー」という）は、図１０及び図１１に示すように、柄部６１と、この柄部の先端に取付けた鏡部６２と、この鏡部に固定して設け、鏡部の鏡面６３の前方側へ光を照射させる照明器具６４とを備える。
【０００５】
前記照明器具６４は、電池収容部６５を有し、略長方形の箱形状に形成されていると共に投光部側の端部を開放して形成した開口部６６を有するケース部６７と、このケース部内に長手方向に所望の間隔で複数個設けた発光ダイオード６８（ＬＥＤ）及び反射鏡６９と、前記開口部６６を閉塞して設け、前記各ＬＥＤから放射される光を透過して照射される蓋部７０とを備えている。なお、先行ミラーは発光ダイオード６８を４個設けてある。
【０００６】
前記蓋部７０は透明プラスチック製板材で形成されている。ケース部６７にはスイッチ７１が内蔵されている。また、電池収容部６５には電池７２が出し入れ可能に収容されている。そして、照明器具６４の所望部に設けたスイッチ操作部（スイッチ操作部については追って考案を実施するための形態の項で説明）を操作してスイッチをＯＮ・ＯＦＦ（開閉）することにより、各発光ダイオード６８（ＬＥＤ）を同時に点灯（ＯＮ）・消灯（ＯＦＦ）させるように構成してある。
【０００７】
前記スイッチをＯＮにして各ＬＥＤを点灯すると、各ＬＥＤから放射される光は蓋部７０を透過して鏡部６２の鏡面６３の前方側へ照射される。したがって、先行ミラーによれば、従来ミラーのように携帯電灯等を併用しなくても車両の底部やマンホール等、見え難い部位や箇所等を夜間においても鏡面に写して点検等の作業を行なうことが可能になる。これにより上述した従来ミラーの問題点は一応解消できる。
【０００８】
しかし、先行ミラーによっても次のような改良を加えるべき問題を有している。即ち、先行ミラーの照明器具６４の蓋部７０は透明プラスチック製板材で形成されている。そのため、図９（ｃ）に示すように、光源の各ＬＥＤから放射される光Ｌは蓋部７０を直線状に透過して同図矢印Ｌ１のように照射され、この照射された光は目的物７３に投射されて反射して鏡面に写るので、目的物の画像（影像）を鏡面により目視することができる。
【０００９】
しかし、上述したように各ＬＥＤから放射される光Ｌは蓋部７０を直線状に透過して照射され、目的物７３に投射されるので、図９（ｄ）に示すように、各ＬＥＤ（先行ミラーでは４個）の光源部の光の影７４…７４が鏡面に写る。前記影７４が鏡面に写ると目的物の影像（画像）が見え難くなる。そのため、点検等の作業の障害になる。この事実は実験した結果により見出したものである。
【先行技術文献】
【特許文献】
【００１０】
【特許文献１】特開平９−１００５６７号公報
【考案の概要】
【考案が解決しようとする課題】
【００１１】
本考案は上述した先行ミラーの問題点を解消し、鏡面に写る目的物の影像（画像）を見易くして点検等の作業を容易にできるようにした点検ミラーを提供することを目的とするものである。
【課題を解決するための手段】
【００１２】
上記目的を達成するため、本考案者は研究，実験した結果、先行ミラーの照明器具の蓋部の内側面に曇りガラスフィルムシート又は半透明ないし不透明のプラスチックフィルムシートを張り付けることにより、前記光の影が鏡面に写るのを防止できることを見出し、本考案に到達したものです。
【００１３】
即ち、本考案は、柄部と、この柄部の先端に取付けた鏡部と、この鏡部に固定して設け、前記鏡部の鏡面の前方側へ光を照射させる照明器具とを備えた点検ミラーであって、
前記照明器具は、電池収容部を有し、略長方形の箱形状に形成されていると共に投光部側の端部を開放して形成した開口部を有するケース部と、
前記ケース部内に長手方向に所望の間隔で複数個設けた発光ダイオード及び反射鏡と、
前記開口部を閉塞して設け、前記各発光ダイオードから放射される光を透過して照射させる蓋部とを備え、
前記各発光ダイオードは白色光発光ダイオードその他の輝度が高い発光ダイオードで構成され、
前記蓋部は透明プラスチック製板材で形成されていると共に前記蓋部の内側面における少なくとも前記各発光ダイオードの前記各光が透過する部位には、曇りガラスフィルムシート、又は透光性を有する半透明ないし不透明の無色ないし白色系のプラスチックフィルムシートが張り付けて設けてあることを特徴とする。
【００１４】
本考案において、「曇りガラスフィルムシート」とは、例えば普通の透明な窓ガラス等に貼る（張る）ことにより、透明なガラスを透光性は維持（但し、照度は多少低くなる）して視線を遮る目的で使用するプラスチックフィルムシートです。曇りガラスフィルムシートには、曇りガラス調（すりガラス調）、スモーク調等がある。曇りガラスフィルムシートは、曇りガラスフィルム或いは目隠しフィルム等と称して一般に市販されている。本考案における曇りガラスフィルムシートには、上述した市販のガラスフィルムが全て含まれる。但し、赤色，青色その他のカラーフィルムは好ましくない。無色ないし白色系のフィルムが適している。
【００１５】
前記曇りガラスフィルムシートを蓋部の内側面に張り付ける（貼り付ける）ことにより、各ＬＥＤから放射される光は前記フィルムシート及び蓋部を透過して照射され、目的に投射されるが、鏡部の鏡面に各ＬＥＤの光源部の光の影が写るのを防止できる。この正確なメカニズムは定かではないが、各ＬＥＤから放射される光がフィルムシートにより拡散して蓋部を透過して照射し、この拡散した照射光が目的物に投射されるためであると思われる。この事実は実験の結果により見出したものです。また、半透明ないし不透明の透光性のプラスチックフィルムシートを採用しても上記と同様の作用効果を奏する。
【００１６】
本考案において、「白色光発光ダイオード」とは、白色ないし白色系の光を放射する発光ダイオード（ＬＥＤ）を意味する。白色光発光ダイオードは「白色ＬＥＤ」とも称される。この白色ＬＥＤは赤色，青色その他の有色の光を放射する発光ダイオード（有色光ＬＥＤ）に比べて輝度が高い。したがって、発光ダイオードとして白色ＬＥＤを採用すると、照明度が高くなる。
【００１７】
本考案において、前記鏡部は前記柄部の先端に、前記鏡面側の前記柄部に対する角度を調整可能に取付けた構成を採用することができる。また、前記柄部は多段式に伸縮可能に構成することもできる。
【考案の効果】
【００１８】
本考案によれば、次のような作用効果を奏する。
（１）鏡部の鏡面に各ＬＥＤの光源部の光の影が写るのを防止することができる。したがって、点検等を実施する目的物の鏡面に写る影像（画像）が鮮明で見易くなるので、点検等の作業が容易になる。
（２）鏡部に照明器具が設けてあるので、車両の底部やマンホール等のように見え難い部位や箇所その他の目的物等を夜間においても鏡面に鮮明に写して点検や検査することができる。したがって、目的物の点検等の作業が容易になると共に点検等の作業性を向上することができる。
【図面の簡単な説明】
【００１９】
【図１】本考案の一実施形態の点検ミラーの構成を概略的に示す図であって、同図（ａ）は斜視図、同図（ｂ）は一部を切欠して示す平面図である。
【図２】前記点検ミラーの構成を概略的に示す側面図である。
【図３】前記点検ミラーの構成を概略的に示す背面図側である。
【図４】前記点検ミラーに採用された照明器具の構成を概略的に示す平面図である。
【図５】前記照明器具を拡大し、その構成を概略的に示す図であって、同図（ａ）は縦断面図、同図（ｂ）は同図（ａ）の仮想線Ａで囲んだ部分を拡大して示す縦断面図である。
【図６】前記点検ミラーを用いて目的物の画像（影像）を鏡面に写す状態を示す説明図である。
【図７】前記照明器具に採用される曇りガラスフィルムシートの一例の構成を概略的に示す斜視図である。
【図８】前記点検ミラーの使用状態の一例を概略的に示す側面図（ａ）と平面図（ｂ）である。
【図９】本考案の点検ミラーの前記照明器具と先行ミラーの前記照明器具の作用を対比して説明するために示す説明図であって、同図（ａ）及び（ｂ）は本考案の作用説明図、同図（ｃ）及び（ｄ）は先行ミラーの作用説明図である。
【図１０】先行ミラーの構成を概略的に示す斜視図（ａ）及び平面図（ｂ）である。
【図１１】先行ミラーに採用された照明器具を拡大し、その構成を概略的に示す縦断面図である。
【考案を実施するための形態】
【００２０】
以下、図面を参照して本考案の実施形態の一例について説明する。図１ないし図８は本考案の一実施形態の点検ミラーを示す。これらの図１ないし図８に示すように、本実施形態の点検ミラー１００は、柄部１と、柄部１の先端に取付けた鏡部２と、鏡部２に固定して設けた照明器具３とを備える。
【００２１】
柄部１は任意の素材で所望の径及び長さに形成する。本実施形態の柄部１はプラスチックやアルミ金属その他の素材よりなる任意本数の管１０ａ，１０ｂ，１０ｃを嵌合して多段式に伸縮可能に構成されている。本実施形態の柄部１は直径を異にした三本の管１０ａ…１０ｃを用いて三段式に伸縮させるように構成されている。
【００２２】
本実施形態の柄部１は、各管１０ａ…１０ｃを軸方向へ摺動可能に嵌合し、締付固定具１１ａ，１１ｂにより解除自在に締め付けて、各管を任意の位置で固定し、柄部１の長さを所望の長さに調整可能に構成してある。なお、管１０ａ…１０ｃの本数は任意に増減可能である。
【００２３】
前記鏡部２は任意の素材で所望の大きさ及び形状に形成する。本実施形態の鏡部２は、所望の大きさ（例えば約２０〜約３０ｃｍ程度）の略四角形の平板状に形成されている。なお、鏡部２の大きさは上記範囲内に限定するものではない。
【００２４】
鏡部２の一方の面は鏡面２０に形成されている。本実施形態の鏡部２はプラスチック製の基板の一方の面に、アクリル樹脂製等の板材を鍍金等により鏡面加工処理して形成した鏡板を重合して接着等により一体化して形成し、鏡板により鏡面２０を形成してある。なお、鏡部の構成や素材は上記に限定するものではないが、軽量かつ割れ難い素材で構成することが好ましい。
【００２５】
前記鏡部２は、鏡面２０側の柄部１に対する角度を任意の角度に調整可能に構成して柄部１の先端に任意の取付手段で取付けて設けられる。本実施形態では、前記取付手段として、コ字状に形成した金属製の取付部材２１と、蝶ネジ２２及び蝶ナット２３を採用している。
【００２６】
前記取付部材２１は、鏡部２の一側部における鏡面２０上に取付部材２１の底板２１ａをネジ及びナット等２４（図３参照）で固定して設けてある。そして、柄部１の先端、即ち、本実施形態では管１０ａの先端を取付部材２１の対向する両側板２１ｂ，２１ｃ間に挟入し、その状態で両側板２１ｂ，２１ｃ及び管１０ａの先端部を貫通して蝶ネジ２２を挿入し、蝶ネジ２２の突出端部に蝶ナット２３を螺合してある。
上記により、鏡部２及び柄部１は前記ネジ２２を支点として互に接近・離反するように旋回可能に構成されている。したがって、上記構成により、鏡部２は、鏡面２０側の柄部１に対する角度を調整可能に構成して柄部１の先端に取付けてある。また、蝶ナット２３を締め付けることにより、鏡部２と柄部１は固定される。
【００２７】
前記照明器具３は、鏡部２の鏡面２０の前方側へ光（照明光）を照射させるもので、鏡部２の他側部（前記取付部材２１と反対側）に任意の手段で固定して設けてある。
【００２８】
照明器具３は、電池収容部３１を有し、略長方形の箱形状に形成されていると共に投光部側の端部を開放して形成した開口部３２を有するケース部３０と、ケース部３０内に長手方向に所望の間隔で複数個設けた発光ダイオード３３…３３及び反射鏡３４…３４と、開口部３２を閉塞して設け、各発光ダイオードから放射される光を透過させて照射させる蓋部３５とを備える。
【００２９】
前記ケース部３０は任意の素材で形成する。本実施形態のケース部３０はプラスチック板で形成されている。前記収容部３１は開閉蓋３６を備え、任意数（図示では３個）の電池３７を出し入れ自在に収容するように構成されている。
【００３０】
本実施形態では、各発光ダイオード３３（ＬＥＤ）として、白色発光ダイオード（白色ＬＥＤ）を採用している。各ＬＥＤ３３は取付板３８上に略等間隔で配置して設け、ケース部３０内の略中央部に位置させて設けてある。本実施形態では４個のＬＥＤ３３を設けた例が開示されているが、ＬＥＤの数量は任意に増減可能である。
【００３１】
白色ＬＥＤは赤色、青色その他の有色の光を放射する発光ダイオード（有色光ＬＥＤ）に比べて輝度が高い。したがって、照明度が高くなる。本実施形態では上述したように各発光ダイオード３３として白色ＬＥＤを採用しているが、白色ＬＥＤに代え、例えばライトブルー系その他の輝度が高い（照明度が高い）光を放射する有色光発光ダイオードを採用することもできる。
【００３２】
前記反射鏡３４は各ＬＥＤ３３…３３毎に設けてある。本実施形態の各反射鏡３４は一枚の金属板３４Ａ等（図４、図５参照）で一体的に形成されている。各ＬＥＤ３３から放射される光は各反射鏡３４で反射される。
【００３３】
前記蓋部３５は所望の肉厚の透明プラスチック製板材で形成されている。蓋部３５はケース部３０の開口部３２を閉塞して設けてある。本実施形態の蓋部３５は中央部を支点として規制された範囲内でシーソ状に揺動可能に設けてある。本実施形態では図５に示すように、ケース部の上端周縁から内側へ略直角に延出させて形成した鍔部３９と反射鏡３４の金属板３４Ａとの間に形成した間隙部４０の範囲内で揺動可能に構成されている。本実施形態では、後述するスイッチを操作するスイッチ操作部を蓋部３５で構成してある。
【００３４】
ケース部３０内にはスイッチ４１が内蔵されている。前記各ＬＥＤ３３は、スイッチ操作部（本実施形態では蓋部３５）を操作してスイッチ４１をＯＮ・ＯＦＦ（開閉）することにより同時に点灯（ＯＮ）・消灯（ＯＦＦ）させるように構成してある。本実施形態では上述したように蓋部３５でスイッチ操作部を構成してある。そして、蓋部３５の長手方向の一端側又は他端側を押動することにより、スイッチをＯＮ・ＯＦＦ操作するように構成してある。蓋部３５は押動した後、手を離すことにより、スイッチ４１等のバネ作用で元の位置に復帰するように構成してある。なお、この場合において、スイッチ４１を操作するスイッチ操作部は、前記蓋部３５に代え、ケース部３０の所望部に設ける構成を採用できること勿論である。
【００３５】
上述したように、スイッチ操作部を操作してスイッチ４１をＯＮ（閉成）にすることにより、各ＬＥＤ３３は同時に点灯し、各ＬＥＤから放射される光は蓋部３５を透過して照射される。そして、この照射される光（照明光）は、目的物に投射される。
【００３６】
前記蓋部３５の内側面における少なくとも各ＬＥＤ３３から放射される各光が透過する部位には、曇りガラスフィルムシート、又は透光性を有する半透明ないし不透明の無色ないし白色系のプラスチックフィルムシート４が張り付けて（貼り付けて）設けてある。
【００３７】
本実施形態では、プラスチックフィルムシート４として、市販の曇りガラス調（すりガラス調）の曇りガラスフィルムシートを採用している。前記フィルムシートは適当な大きさに切断（裁断）して使用される。本実施形態では、前記フィルムシートを蓋部３５の天板部３５ａ（図５参照）と対応する大きさに裁断し、このフィルムシート４を蓋部３５の天板部３５ａの内側面の略全面に張り付け、又は貼り付けて設ける構成を採用している。
【００３８】
前記曇りガラスフィルムシートは、例えば前記シートの一方の面又は蓋部の内側面に水道水等の水を塗布し、前記フィルムシートを蓋部３５の内側面に押し付けて密接することにより張り付ける（貼り付ける）ことができる。或いは、希釈した中性洗剤を蓋部の内側面に塗布し、前記フィルムシートを蓋部の内側面に密接に押し付けることにより張り付ける（貼り付ける）ことができる。なお、本実施形態ではプラスチックフィルム４として、市販の曇りガラスフィルムシートを採用した例を開示したが、曇りガラスフィルムシートに代え、透光性を有する半透明ないし不透明の無色ないし白色系のプラスチックフィルムを採用することも可能である。
【００３９】
前記照明器具３は上記構成を具備している。この照明器具３は、蓋部３５側を鏡面２０の前方側に向け、鏡部２の前記他側部の縁部にケース部３０の一側面を当接して、取付用支持板４２（図２、図３等参照）を介してビス４３，４４で止め着して鏡部２に固定して設けてある。
【００４０】
次に本実施形態の点検ミラーの使用方法の一例及び作用効果等について説明する。スイッチ操作部を操作してスイッチ４１をＯＮにすると、各ＬＥＤ３３は同時に点灯して光を放射する。図９（ａ）に示すように、前記各ＬＥＤ３３から放射される光Ｌは前記フィルムシート４及び蓋部３５を透過して照射されるが、前記光Ｌはフィルムシート４により拡散して蓋部３５を透過し、図９（ａ）に矢印Ｌ２で示すように、拡散した状態で照射される。この拡散した照射光が目的物５に投射される。
【００４１】
そして、目的物５に投射された光は、図６に矢印Ｌ３で示すように反射して鏡部２の鏡面２０に写るので、鏡面２０に写される目的物の画像（影像）を目視できる。上記のように、目的物の画像は鏡に写されるが、光源部の各ＬＥＤの放射光は拡散されて目的物に投射されるので、各ＬＥＤの光源部の光の影が鏡面に写ることはない。したがって、点検等を実施する目的物の鏡面に写る画像（影像）が鮮明で見易くなるので、点検等の作業が容易になる。
【００４２】
本実施形態の点検ミラーは、従来と同様に柄部を手で操作して鏡部を例えば車体の下部やマンホール内等に挿入し、車両底部やマンホール内その他の目的の部位や箇所等を鏡面により目視して点検や検査等を行うものである。
【００４３】
図８は使用状態の一例を示す説明図である。この使用例は車両５０の底部を点検等を実施している状態を示す。本実施形態の点検ミラーを図８のように使用することにより、車両底部の点検等の作業を容易に行なうことができる。
【００４４】
なお、本実施形態ではプラスチックフィルム４として、曇りガラスフィルムシートを採用した例を開示したが、曇りガラスフィルムシート以外の透光性を有する半透明ないし不透明の無色ないし白色系のプラスチックフィルムシートを採用することもできる。これによっても上記と同様の作用効果を奏する。
【００４５】
また、上記した実施形態は一例として開示したもので、本考案は上記の実施形態に限定されるものではなく、実用新案登録請求の範囲に記載の技術思想を越脱しない範囲において任意に変更可能なものである。
【符号の説明】
【００４６】
１      柄部
２      鏡部
３      照明器具
４      プラスチックフィルム
２０    鏡面
３０    ケース部
３２    開口部
３３    白色ＬＥＤ
３４    反射鏡
【図１】
0003174001.tif 000003
【図２】
0003174001.tif 000004
【図３】
0003174001.tif 000005
【図４】
0003174001.tif 000006
【図５】
0003174001.tif 000007
【図６】
0003174001.tif 000008
【図７】
0003174001.tif 000009
【図８】
0003174001.tif 000010
【図９】
0003174001.tif 000011
【図１０】
0003174001.tif 000012
【図１１】
0003174001.tif 000013